(57)【要約】【課題】  カメラ１で観光案内情報を参照することができるようにする。【解決手段】図６の観光案内画面５１の表示部５２には、テンプレート画像またはユーザ画像が表示され、表示部５３には、案内情報等が表示される。撮影ボタン５４は、ユーザが撮像した画像（例えば、いま撮像した画像）を表示部５２に表示させるときに操作される。ユーザ画像ボタン５５は、ユーザ画像を表示部５２に表示させるときに操作される。削除ボタン５６は、表示部５２の画像を削除する際に操作される。【選択図】図１
2006324836.tif 000002
【特許請求の範囲】
【請求項１】
観光案内情報を記憶部に記憶する記憶手段と、
所定の案内先の観光案内情報を前記記憶部から検出する検出手段と、
前記検出手段により検出された前記観光案内情報を表示部に表示する表示手段と、
被写体を撮像する撮像手段と
を備え、
前記記憶手段は、前記検出手段により検出された前記観光案内情報に前記撮像手段による撮像の結果得られた画像を関連付けて保存する
ことを特徴とする画像処理装置。
【請求項２】
前記記憶部は、ハードディスクである
ことを特徴とする請求項１に記載の画像処理装置。
【請求項３】
前記表示部に表示される前記観光案内情報は、前記所定の案内先を紹介する文字情報と、前記所定の案内先に対応するテンプレート画像から構成される
ことを特徴とする請求項１に記載の画像処理装置。
【請求項４】
前記表示手段は、前記テンプレート画像に代えて、前記撮像手段による撮像の結果得られた画像を表示する
ことを特徴とする請求項３に記載の画像処理装置。
【請求項５】
現在位置を検出する位置検出手段をさらに備え、
前記検出手段は、前記位置検出手段により検出された前記位置に対応する観光案内情報を検出する
ことを特徴とする請求項１に記載の画像処理装置。
【請求項６】
前記観光案内情報を記憶する外部装置から、前記観光案内情報を一括して、または選択的に取得する取得手段
を備えることを特徴とする請求項１に記載の画像処理装置。
【請求項７】
観光案内情報を記憶部に記憶する記憶ステップと、
所定の案内先の観光案内情報を前記記憶部から検出する検出ステップと、
前記検出ステップの処理で検出された前記観光案内情報を表示部に表示する表示ステップと、
被写体を撮像する撮像ステップと
を含み、
前記記憶ステップは、前記検出ステップの処理で検出された前記観光案内情報に前記撮像ステップでの撮像の結果得られた画像を関連付けて保存する
ことを特徴とする画像処理方法。
【請求項８】
撮像の結果得られた画像を保存する画像処理装置を制御するプロセッサに実行させるプログラムにおいて、
観光案内情報を記憶部に記憶する記憶ステップと、
所定の案内先の観光案内情報を前記記憶部から検出する検出ステップと、
前記検出ステップの処理で検出された前記観光案内情報を表示部に表示する表示ステップと、
被写体を撮像する撮像ステップと
を含み、
前記記憶ステップは、前記検出ステップの処理で検出された前記観光案内情報に前記撮像ステップでの撮像の結果得られた画像を関連付けて保存する
ことを特徴とするプログラム。
【発明の詳細な説明】
【技術分野】
【０００１】
本発明は、画像処理装置および方法、並びにプログラムに関し、特に、カメラから観光案内情報を容易に参照することができるようにする画像処理装置および方法、並びにプログラムに関する。
【背景技術】
【０００２】
地図データベースとGPS（Global Positioning System）等の位置検出装置を搭載した撮像装置によって、撮像した画像を、撮像位置の名称と関連付けて保存する技術が存在する（特許文献１参照）。
【０００３】
【特許文献１】特開２００４−８８６０７号公報
【発明の開示】
【発明が解決しようとする課題】
【０００４】
しかしながら、所定の場所を紹介する情報（例えば、名所の観光案内情報）を予め保持しており、ユーザが撮像した画像と関連付けて保存することができる撮像装置は存在しなかった。
【０００５】
本発明は、このような状況に鑑みてなされたものであり、ユーザが撮像した画像を、観光案内情報と関連付けて保存しておくことができるようにするものである。
【課題を解決するための手段】
【０００６】
本発明の画像処理装置は、観光案内情報を記憶部に記憶する記憶手段と、所定の案内先の観光案内情報を記憶部から検出する検出手段と、検出手段により検出された観光案内情報を表示部に表示する表示手段と、被写体を撮像する撮像手段とを備え、記憶手段は、検出手段により検出された観光案内情報に撮像手段による撮像の結果得られた画像を関連付けて保存することを特徴とする。
【０００７】
記憶部は、ハードディスクであるようにすることができる。
【０００８】
表示部に表示される観光案内情報は、所定の案内先を紹介する文字情報と、所定の案内先に対応するテンプレート画像から構成されるようにすることができる。
【０００９】
表示手段は、テンプレート画像に代えて、撮像手段による撮像の結果得られた画像を表示することができる。
【００１０】
現在位置を検出する位置検出手段をさらに備え、検出手段は、位置検出手段により検出された位置に対応する観光案内情報を検出することができる。
【００１１】
観光案内情報を記憶する外部装置から、観光案内情報を一括して、または選択的に取得する取得手段を設けることができる。
【００１２】
本発明の画像処理方法は、観光案内情報を記憶部に記憶する記憶ステップと、所定の案内先の観光案内情報を記憶部から検出する検出ステップと、検出ステップの処理で検出された観光案内情報を表示部に表示する表示ステップと、被写体を撮像する撮像ステップとを含み、記憶ステップは、検出ステップの処理で検出された観光案内情報に撮像ステップでの撮像の結果得られた画像を関連付けて保存することを特徴とする。
【００１３】
本発明のプログラムは、観光案内情報を記憶部に記憶する記憶ステップと、所定の案内先の観光案内情報を記憶部から検出する検出ステップと、検出ステップの処理で検出された観光案内情報を表示部に表示する表示ステップと、被写体を撮像する撮像ステップとを含み、記憶ステップは、検出ステップの処理で検出された観光案内情報に撮像ステップでの撮像の結果得られた画像を関連付けて保存することを特徴とする。
【００１４】
本発明の画像処理装置および方法、並びにプログラムにおいては、観光案内情報が記憶部に記憶され、所定の案内先の観光案内情報が記憶部から検出され、検出された観光案内情報が表示部に表示され、被写体が撮像され、検出された観光案内情報に撮像の結果得られた画像が関連付けて保存される。
【発明の効果】
【００１５】
本発明によれば、ユーザが撮像した画像を、観光案内情報と関連付けて保存しておくことができるようにすることができる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
請求項１に記載の画像処理装置は、
観光案内情報を記憶部（例えば、図２のハードディスク１４）に記憶する記憶手段（例えば、図２のCPU１１）と、
所定の案内先の観光案内情報を記憶部から検出する検出手段（例えば、図２のCPU１１）と、
検出手段により検出された観光案内情報を表示部（例えば、図２のLCDパネル１０）に表示する表示手段（例えば、図２のCPU１１）と、
被写体を撮像する撮像手段（例えば、図２のカメラ部２１）と
を備え、
記憶手段は、検出手段により検出された観光案内情報に撮像手段による撮像の結果得られた画像を関連付けて保存する
ことを特徴とする。
【００１９】
請求項２に記載の画像処理装置は、
記憶部は、ハードディスク（例えば、図２のハードディスク１４）である
ことを特徴とする。
【００２０】
請求項３に記載の画像処理装置は、
表示部に表示される観光案内情報は、所定の案内先を紹介する文字情報（例えば、図６の表示部５３に表示される観光案内）と、所定の案内先に対応するテンプレート画像（例えば、図６の表示部５２に表示されるテンプレート画像）から構成される
ことを特徴とする。
【００２１】
請求項４に記載の画像処理装置は、
表示手段は、テンプレート画像に代えて、撮像手段による撮像の結果得られた画像を表示する（例えば、図８の表示部５２）
ことを特徴とする。
【００２２】
請求項５に記載の画像処理装置は、現在位置を検出する位置検出手段（例えば、図１０の位置検出部１０２）をさらに備え、
検出手段は、位置検出手段により検出された位置に対応する観光案内情報を検出する
ことを特徴とする。
【００２３】
請求項６に記載の画像処理装置は、
観光案内情報を記憶する外部装置から、観光案内情報を一括して、または選択的に取得する取得手段（例えば、USBコネクタ１５）
を備えることを特徴とする。
【００２４】
請求項７に記載の画像処理方法および請求項８に記載のプログラムは、観光案内情報を記憶部に記憶する記憶ステップ（例えば、図１５のステップＳ５３またはステップＳ５５に対応するカメラ１の処理）と、所定の案内先の観光案内情報を記憶部から検出する検出ステップ（例えば、図３のステップＳ５）と、検出ステップの処理で検出された観光案内情報を表示部に表示する表示ステップ（例えば、図３のステップＳ７またはステップＳ８）と、被写体を撮像する撮像ステップ（例えば、図２のカメラ部２１の動作）とを含み、記憶ステップは、検出ステップの処理で検出された観光案内情報に撮像ステップでの撮像の結果得られた画像を関連付けて保存する（例えば、図３のステップＳ１１）ことを特徴とする。
【００２５】
図１は、本発明を適用したデジタルスチルカメラ（以下、カメラと略称する）１の外観の構成例を示している。
【００２６】
２（図１Ａ）は、シャッターボタン（レリーズボタン）、３は、電源切り替えボタン、４は、光学ビューファインダ、５は、フラッシュ、そして６は、撮像レンズである。
【００２７】
７Ａ（図１Ｂ）は、カーソル移動ボタン、７Ｂは、選択ボタン、８は、観光案内情報表示ボタン、９は、電子ビューパネル(以下、LCDパネルと称する)表示切り替えボタン、１０は、LCD(Liquid Crystal display)パネル、１１は、ＡＦ合焦確認用発光ダイオード、１２は、タリー用発光ダイオード、そして１３は、ストロボ充電確認用発光ダイオードである。
【００２８】
図２は、カメラ１の電気的構成例を示している。
【００２９】
CPU（Central Processing Unit）１１は、プログラムメモリ１２に格納されているプログラムを実行し、カメラ１全体の動作を制御する。
【００３０】
画像用メモリ１３は、カメラ１による撮像の結果得られた画像データ等を記憶する。
【００３１】
ハードディスク１４は、後述する観光案内情報を記憶している。
【００３２】
USB（Universal Serial Bus）コネクタ１５は、外部情報機器と接続するためのインタフェースであり、ハードディスク１４に記憶されている撮像画像等を接続先の外部情報機器へ送信したり、外部情報機器からのデータ（観光案内情報）を受信したりする。
【００３３】
操作入力部１６は、シャッターボタン２、電源切り替えボタン３、カーソル移動ボタン７Ａ、選択ボタン７Ｂ、観光案内情報表示ボタン８などのボタンの押下情報を検出し、CPU１１に通知する。
【００３４】
LED表示部１７は、たとえば光学ビューファインダ４やLCDパネル１０の近傍に設けられており、この例では、ＡＦ合焦確認用発光ダイオード１１、タリー用発光ダイオード１２、およびストロボ充電確認用発光ダイオード１３から構成されている。
【００３５】
LED表示部１７は、CPU１１と電気的に接続されており、一般的にＡＦ合焦確認用発光ダイオード１１は、ユーザがシャッターボタン２を半押ししたときに、合焦が成功すれば点灯、失敗すると点滅という動作を行う。この動作はCPU１１の制御で行われる。
【００３６】
カメラ部２１は、レンズ、ＣＣＤ、アナログ信号処理部、Ａ／Ｄ変換器などから構成されており、撮像の結果得られた画像データを、画像処理部２２に供給する。
【００３７】
画像処理部２２は、カメラ部２１から供給された画像データに対し、画像用メモリ１３を利用して、ガンマ変換、色空間変換、ホワイトバランス等の画像処理を行うとともに、必要に応じて、その結果得られた画像データに対してJPEG圧（Joint Photographic Experts Group）縮処理等を施し、その結果得られた画像データを、CPU１１を介してハードディスク１４に記憶する。画像処理部２２はまた、ハードディスク１４に記憶されているJPEG圧縮画像データに対してJPEG伸張処理を行い、その結果得られた画像データを、CPU１１を介して、表示制御部２３に供給する。
【００３８】
表示処理部２３は、CPU１１を介して供給された画像データをRGB信号に変換して、LCDパネル１０に供給して表示させる。
【００３９】
次に、観光案内情報表示処理を、図３のフローチャートを参照して説明する。
【００４０】
ステップＳ１において、ユーザによりカメラ１の観光案内情報表示ボタン８が操作されると、CPU１１は、表示制御部２３を制御して、図４Ａに示すような観光案内メニュー画面３１をLCDパネル１０に画像を表示させる処理を、「CPU１１は、画像をLCDパネル１０に表示する」と記載する。
【００４１】
ステップＳ２において、CPU１１は、観光案内メニュー画面３１が操作されるまで待機し、操作されたとき、ステップＳ３に進み、その操作は、案内先を決定する操作か否かを判定し、決定操作ではないと判定した場合、ステップＳ４に進み、操作に応じた処理を実行する。
【００４２】
図４に示す観光案内メニュー画面３１は、３つの表示部３２（図４Ａの場合、表示部３２−１乃至３２−３）を含むように構成されており、左端の表示部３２、中央の表示部３２、そして右端の表示部３２の順に、より詳細の地域名が表示されるようになされている。
【００４３】
最初に表示される図４Ａに示す観光案内メニュー画面３１の表示部３２−１には、都道府県名が表示される。表示部３２−２には、いま選択されている表示部３２−１の都道府県（図４Ａの例では「東京都」）の区名、市名等が表示される。そして表示部３２−３には、表示部３２−２に表示される区名、市名等の所定のもの（図４Ａの例では、「港区」）の町名等が表示される。
【００４４】
ユーザは、カーソル移動ボタン７Ａを操作して、表示部３２−１にあるカーソル３３を、表示部３２−２の、観光案内情報が欲しい案内先に応じた地域名に移動させる。
【００４５】
例えばカーソル３３が、図４Ｂに示すように表示部３２−２の「港区」に移動されると、表示部３２−２が左端に、表示部３２−３が中央に、そして新しい表示部３２−４が右端に表示されるようになり、表示部３２−４には、場所や建物の名称、すなわち案内先の名称が表示される。
【００４６】
ユーザは、カーソル移動ボタン７Ａを操作して、表示部３２−２にあるカーソル３３を、表示部３２−３の、案内先に応じた地域名に移動させる。
【００４７】
例えばカーソル３３が、図４Ｃに示すようにさらに表示部３２−３の「港南」に移動されると、表示部３２−３が左端に、そして表示部３２−４が中央にそれぞれ表示されるようになる。
【００４８】
ユーザは、カーソル移動ボタン７Ａを操作して、表示部３２−３にあるカーソル３３を、表示部３２−４の、観光案内情報が欲しい案内先に移動させる。
【００４９】
例えばカーソル３３が、図４Ｄに示すようにさらに表示部３２−４の「案内先Ｃ」に移動されと、表示部３２−４が左端に表示されるようになる。
【００５０】
すなわちステップＳ４の処理では、カーソル移動ボタン７Ａに対する操作に応じて、観光案内メニュー画面３１の表示を、図４Ａ乃至図４Ｄに示すように切り換える処理が行われる。
【００５１】
ステップＳ３で、案内先が決定されたと判定された場合、ステップＳ５に進み、CPU１１は、ハードディスク１４から、選択された案内先の観光案内情報を読み出す。
【００５２】
例えば、図４Ｄに示すように、カーソル３３が表示部３２−４の「案内先Ｃ」を示している状態で、選択ボタン７Ｂが操作されると、CPU１１は、ハードディスク１４から、案内先Ｃの観光案内情報を読み出す。
【００５３】
ハードディスク１４には、図５に示すように、案内先Ｃを含む案内先毎の観光案内情報が記憶されている。
【００５４】
観光案内情報のテンプレート画像は、予め用意されたその案内先を紹介する画像（例えば、絵はがきに利用されるような画像）である。
【００５５】
ユーザ画像は、後述するようにその観光案内情報に対応付けられた、例えばユーザが撮像した画像である。
【００５６】
所在地情報は、案内先の緯度、経度、高度などの位置に関する情報である。案内情報は、案内先の名称、住所、および連絡先、並びに歴史、産業などの案内先を紹介する情報である。
【００５７】
図３に戻りステップＳ６において、CPU１１は、ステップＳ５で読み出した観光案内情報にユーザ画像が含まれているか否かを判定し、含まれていると判定した場合、ステップＳ７に進み、図６に示すような観光案内画面５１を表示する。
【００５８】
図６の観光案内画面５１の表示部５２には、テンプレート画像またはユーザ画像が表示され、表示部５３には、案内情報等の内容が表示される。
【００５９】
撮影ボタン５４は、ユーザが撮像した画像（例えば、いま撮像した画像）を表示部５２に表示させるときに操作されるボタンである。ユーザ画像ボタン５５は、ユーザ画像を表示部５２に表示させるときに操作されるボタンである。削除ボタン５６は、表示部５２の画像を削除する際に操作されるボタンである。
【００６０】
ステップＳ６で、ユーザ画像が含まれていないと判定された場合、ステップＳ８に進み、CPU１１は、図７に示すような観光案内画面５１を表示する。
【００６１】
この観光案内画面５１には、ユーザ画像ボタン５５が設けられていない。その他の部分は、図６の観光案内画面５１と同様である。
【００６２】
ステップＳ７またはステップＳ８で、観光案内画面５１が表示されると、ステップＳ９に進み、CPU１１は、観光案内画面５１の撮影ボタン５４が操作されたか否かを判定し、操作されたと判定した場合、ステップＳ１０に進む。
【００６３】
ステップＳ１０において、CPU１１は、指定された撮像画像を検出し、ステップＳ１１において、その画像をユーザ画像として観光案内情報に関連付けてハードディスク１４に記憶させる（図５）。なおユーザが撮像した画像を関連付ける場合、その撮像日時等の情報も関連付けて記憶することもできる。
【００６４】
ステップＳ１２において、CPU１１は、その画像（ユーザ画像）を、観光案内画面３１の表示部５２に表示する。
【００６５】
例えば、図６の表示部５２に表示されている画像がテンプレート画像である場合、図８に示すように、表示部５２には、ユーザが撮像した他の画像が表示される。
【００６６】
ステップＳ９で、撮像ボタン５４が操作されていないと判定された場合、ステップＳ１３に進み、CPU１１は、ユーザ画像ボタン５５が操作されたか否かを判定し、操作されたと判定した場合、ステップＳ１４に進む。なおユーザ画像ボタン５５は、ステップＳ８での観光案内画面５１（図７）が表示されているときは操作することはできない。
【００６７】
ステップＳ１４において、CPU１１は、指定されたユーザ画像を観光案内情報から検出し、ステップＳ１５において、それをいま表示されている画像（例えばテンプレート画像）に代えて表示部５２に表示する。
【００６８】
ステップＳ１３で、ユーザ画像ボタン５５が操作されていないと判定された場合、ステップＳ１６に進み、CPU１１は、削除ボタン５６が操作されたか否かを判定し、操作されたと判定した場合、ステップＳ１７に進み、図９に示すように、表示部５２の画像を削除する。
【００６９】
ステップＳ１６で、削除ボタン５６が操作されていないと判定された場合、ステップＳ９に戻り、それ以降の処理が同様に行われる。
【００７０】
以上のように、観光案内情報をカメラ１に記憶させておくようにしたので、例えばいまから撮像したいと思った場所の観光情報をその場で簡単に参照することができる。
【００７１】
また観光案内情報と、撮像した画像とを関連付けて記憶することができるので、その撮像画像はいつどこで撮影したものであるかが分かるようになり、例えば後での画像整理を容易に行うことができるようになる。
【００７２】
またテンプレート画像に代えて、ユーザ画像を表示することができるようにしたので、その場所は撮影済みの場所かどうかの判別を容易に行うことができるようになる。また独自性のあるガイドブックやアルバムを容易に作ることができる。
【００７３】
なお以上においては静止画を観光案内情報と関連付けて記憶したが動画を記憶するようにすることもできる。
【００７４】
図１０は、カメラ１の他の電気的構成例を示している。このカメラ１には、図２のカメラ１に、方位検出部１０１と位置検出部１０２がさらに設けられている。他の部分は、図２のカメラ１と同様である。
【００７５】
方位検出部１０１は、地磁気をＸ軸Ｙ軸成分にとして検出し、地磁気ベクトルの方位を電気信号に変換する方位センサから構成されており、カメラ１が撮影方向と地軸に対してどれだけ傾いているかを検出する。方位検出部１０１は、CPU１１に電気的に接続されており、検出した傾き情報をCPU１１に供給する。
【００７６】
位置検出部１０２は、GPS受信機で構成されている。位置検出部１０２は、軌道上に複数個の衛星を配置し、各衛星から発射される電波が受信点に届くまでにかかる時間を測定することにより、軌道からの距離をもとに現在位置を測定する。
【００７７】
次に、この例の場合における観光案内情報表示処理を、図１１のフローチャートを参照して説明する。
【００７８】
ステップＳ２１において、ユーザによりカメラ１の観光案内情報表示ボタン８が操作されると、CPU１１は、位置検出部１０２を制御して、現在の位置を検出させる。
【００７９】
次にステップＳ２２において、CPU１１は、図１２に示すように、現在位置に応じた観光案内メニュー画面３１を表示する。
【００８０】
図１２の例では、現在位置の緯度経度を表示する表示部３５と、現在位置である「港南」に属する案内先が表示された表示部３４−４を含む観光案内メニュー画面３１が表示される。
【００８１】
ステップＳ２３乃至ステップＳ３８においては、図３のステップＳ２乃至ステップＳ１７における場合と同様の処理が行われるので、その説明は省略する。
【００８２】
なお以上においては、図４または図１１で示した観光案内情報表示処理をそれぞれ独立して実行されるものとして説明したが、それらの処理を選択的に実行することもできる。その場合、例えば、最初に、図１３に示すような初期画面６１が表示され、ボタン６２が選択されたとき、図４に示す処理が、ボタン６３が選択されたとき、図１１に示す処理がそれぞれ実行されるようにすることができる。
【００８３】
また観光案内情報は、この例の場合、図１４に示すように、USBケーブル２００を介して接続されたパーソナルコンピュータ（以下、ＰＣと称する）２０１によりインストールすることができる。
【００８４】
観光案内情報をＰＣ２０１からインストールする場合のＰＣ２０１の動作を、図１５のフローチャートを参照して説明する。
【００８５】
ステップＳ５１において、ＰＣ２０１は、表示部にインストール実行画面を表示し、ステップＳ５２において、一括インストールするか否かを判定する。
【００８６】
ＰＣ２０１は、例えば日本全国の観光案内情報を有している場合、その日本全国の観光案内情報の全部をカメラ１にインストールするか否かを判定する。
【００８７】
なおインストール実行画面には、その図示は省略するが、一括インストールする際に操作されるボタンと、選択的にインストールする際に操作されるボタンが設けられている。
【００８８】
ステップＳ５２で、一括インストールであると判定された場合（一括インストールする際に操作されるボタンが操作されたとき）、ステップＳ５３に進み、ＰＣ２０１は、例えば日本全国の観光案内情報の全部をカメラ１に供給する。カメラ１は、そのときＰＣ２０１から供給された日本全国の観光案内情報をハードディスク１４に記憶する。
【００８９】
ステップＳ５２で、一括インストールではないと判定された場合（選択的にインストールする際に操作されるボタンが操作されたとき）、ステップＳ５４に進み、ＰＣ２０１は、観光案内情報を選択的にインストールする画面を表示する。この画面は、その図示は省略するが、所定の都道府県または市町村を選択できるようになされている。
【００９０】
ステップＳ５５において、ＰＣ２０１は、ステップＳ５４で表示された画面から選択された所定の地域に属する観光案内情報を、USBケーブル２００を介してカメラ１に供給する。カメラ１は、ＰＣ２０１から供給された観光案内情報をハードディスク１４に記憶する。
【００９１】
以上のように、観光案内情報を、選択的にカメラ１にインストールすることができるようにしたので、カメラ１のハードディスク１４の容量の使用量を調整することができる。その結果、できるだけ多くの観光案内情報を記憶して、カメラ１を観光案内情報参照を主として利用したり、また記憶する観光案内情報を制限して、カメラ１を、撮像を主として利用するようにすることができる。
【００９２】
なお以上においては一括にインストールするか選択的にインストールするかを選択する操作を、ＰＣ２０１で行う場合を例として説明したが、カメラ１において行うこともできる。
【００９３】
上述した一連の処理は、専用のハードウエアにより実行させることもできるし、ソフトウエアにより実行させることもできる。一連の処理をソフトウエアによって行う場合、例えば、その一連の処理は、図１６に示されるような（パーソナル）コンピュータにプログラムを実行させることにより実現することができる。
【００９４】
図１６において、CPU５１１は、ROM（Read Only Memory）５１２に記憶されているプログラム、またはハードディスク５１４からRAM（Random Access Memory）５１３にロードされたプログラムに従って各種の処理を実行する。RAM５１３にはまた、CPU５１１が各種の処理を実行する上において必要なデータなども適宜記憶される。
【００９５】
CPU５１１、ROM５１２、およびRAM５１３は、バス５１５を介して相互に接続されている。このバス５１５にはまた、入出力インタフェース５１６も接続されている。
【００９６】
入出力インタフェース５１６には、キーボード、マウス、入力端子などよりなる入力部５１８、CRT(Cathode Ray Tube)，LCD(Liquid Crystal display)などよりなるディスプレイ、出力端子、並びにスピーカなどよりなる出力部５１７、ターミナルアダプタ、ADSL（Asymmetric Digital Subscriber Line）モデムや、LAN (Local Area Network)カード等より構成される通信部５１９が接続されている。通信部５１９は、インターネットなどの各種のネットワークを介しての通信処理を行う。
【００９７】
入出力インタフェース５１６にはまた、ドライブ５２０が接続され、磁気ディスク（フロッピディスクを含む）５３１、光ディスク（CD-ROM(Compact Disk-Read Only Memory) DVD Digital VersatiLEDisk）を含む）５３２、光磁気ディスク（MD（Mini-Disk）を含む）５３３、或いは半導体メモリなどのリムーバブルメディア（記録媒体）５３４が適宜装着され、それらから読み出されたコンピュータプログラムが、必要に応じてハードディスク５１４にインストールされる。
【００９８】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【図面の簡単な説明】
【００９９】
【図１】本発明を適用したカメラ１の外観の構成例を示す図である。
【図２】カメラ１の内部の構成例を示す図である。
【図３】観光案内情報表示処理を説明するフローチャートである。
【図４】観光案内メニュー画面の表示例を示す図である。
【図５】図２のハードディスク１４に記憶されている観光案内情報を説明する図である。
【図６】観光案内画面の表示例を示す図である。
【図７】観光案内画面の他の表示例を示す図である。
【図８】観光案内画面の他の表示例を示す図である。
【図９】観光案内画面の他の表示例を示す図である。
【図１０】カメラ１の内部の他の構成例を示す図である。
【図１１】他の観光案内情報表示処理を説明するフローチャートである。
【図１２】観光案内メニュー画面の他の表示例を示す図である。
【図１３】観光案内メニュー画面の他の表示例を示す図である。
【図１４】観光案内情報をインストールする処理を説明する図である。
【図１５】観光案内情報をインストールする処理を説明するフローチャートである。
【図１６】パーソナルコンピュータ５０１の構成例を示すブロック図である。
【符号の説明】
【０１００】
１  カメラ，  ８  観光案内情報表示ボタン，  １１  CPU，  １２  プログラムメモリ，  １３  画像用メモリ，  １４  ハードディスク，  １５  USBコネクタ，  １６  操作入力部，  １７  LED表示部
【図１】
2006324836.tif 000003
【図２】
2006324836.tif 000004
【図３】
2006324836.tif 000005
【図４】
2006324836.tif 000006
【図５】
2006324836.tif 000007
【図６】
2006324836.tif 000008
【図７】
2006324836.tif 000009
【図８】
2006324836.tif 000010
【図９】
2006324836.tif 000011
【図１０】
2006324836.tif 000012
【図１１】
2006324836.tif 000013
【図１２】
2006324836.tif 000014
【図１３】
2006324836.tif 000015
【図１４】
2006324836.tif 000016
【図１５】
2006324836.tif 000017
【図１６】
2006324836.tif 000018